(57)【要約】  本発明は、研磨体（１）と、研磨体（１）を床面に対して支持する部材とを有するフットケア装置に関し、研磨体（１）は外側面を有し、外側面は少なくとも部分的に研磨材であり、それにより研磨材である研磨体（１）の外側面の一部分は、いくつかの部分面からなり、これらの部分面は、少なくとも１つの凹状面（９，１２）と凸状曲面（１０，１５）からなる。床面上の研磨体（１）の位置で上に向けられた主面（９）は、互いに対して角度が付けられた２つの凹状の部分面（Ａ，Ｂ）を有し、それにより第１の部分面（Ａ）は、床面に対して範囲１５〜４５°の角度を有し、第２の部分面（Ｂ）は、床面に対して最大１５°の角度を有する。【選択図】図１
2008539941.tif 000002
【特許請求の範囲】
【請求項１】
研磨体（１）と、研磨体（１）を床面に対して支持する部材とを有し、研磨体（１）が外側面を有し、外側面が少なくとも部分的に研磨材であり、それにより研磨材である研磨体（１）の外側面の一部分が、いくつかの部分面を有し、それらの部分面は、少なくとも１つの凹状面（９，１２）と１つの凸状面（１０，１５）を有するフットケア装置であって、床面上の研磨体（１）の位置で上に向けられた主面（９）が、互いに角度が付けられた２つの凹状の部分面（Ａ，Ｂ）を有し、それにより第１の部分面（Ａ）は、床面に対して範囲１５〜４５°の範囲の角度を有し、第２の部分面（Ｂ）は、床面に対して最大１５°の角度を有するフットケア装置。
【請求項２】
第２の部分面（Ｂ）は、カップ形状である請求項１に記載の装置。
【請求項３】
少なくとも１つの研磨材の凸状の第１の側面（１０）が主面（９）につながっている請求項１または２に記載の装置。
【請求項４】
少なくとも研磨材の凹状の第２の側面（１２）が主面（９）につながっている請求項１から３のいずれか１項に記載の装置。
【請求項５】
追加の研磨材の凸状の第３の側面（１５）が主面（９）につながっている請求項３または４に記載の装置。
【請求項６】
少なくとも一方の側面（１０，１２，１５）が主面（９）に対して垂直である請求項３、４または５のいずれか１項に記載の装置。
【請求項７】
少なくとも一方の側面（１０，１２，１５）が垂直面に対して最大２０°の傾きを有する請求項３、４または５のいずれか１項に記載の装置。
【請求項８】
凸状の第３の側面（１５）がドーム型部分（１５Ｂ）を有する請求項５に記載の装置。
【請求項９】
研磨体（１）を支持する部材が吸盤（５）を有する請求項１から８のいずれか１項に記載の装置。
【請求項１０】
吸盤（５）の数は３つである請求項９に記載の装置。
【発明の詳細な説明】
【技術分野】
【０００１】
本発明は、研磨体とその研磨体を床面（ground）に対して支持するための部材とを有し、研磨体は外側面を有し、また外側面は少なくとも部分的に研磨材であるフットケア装置に関する。
【背景技術】
【０００２】
フットケア装置は、これまで特許文献１によって知られており、この装置は、平面形状の基礎部品を含み、この基礎部品の少なくとも片側面に研磨材が貼り付けられている。研磨材は、研摩布で作成されることが好ましい。この場合、平面形状の基礎部品は、その側面の両側に研摩布を備え、これらの研磨布は、異なる粒度であることが好ましい。装置は、主に、障害を持ちかつ／または運動能力が限られた多数の人々によって使用されるように設計されており、それにより、平面形状の基礎部品は、この目的のために、両側の２つの縁に研磨材料の隆起部を備えている。これにより、装置が滑る危険なしに装置を壁と床の間に斜めに配置することができる。
【０００３】
別の既知のフットケア装置は、特許文献２である。
【０００４】
【特許文献１】ＳＥ−Ｃ−５１２４４７
【特許文献２】米国特許第５９１３３１３号
【発明の開示】
【発明が解決しようとする課題】
【０００５】
本発明の主な目的は、前述のように定義された種類の装置を提供し、その装置が、足の手入れをしなければならない部分に順応するための様々な選択肢をユーザに提供するようにすることである。
【０００６】
本発明の別の目的は、装置がユーザの手を必要としないことである。
【０００７】
本発明の更に他の目的は、装置の形状がきわめてコンパクトであることである。
【課題を解決するための手段】
【０００８】
本発明の少なくとも主な目的は、以下の独立請求項に示した機能を達成した前述の定義された種類による装置によって実現可能である。
【０００９】
好ましい実施態様は、従属請求項に定義されている。
【発明を実施するための最良の形態】
【００１０】
以下に、本発明の好ましい実施形態を添付図面を参照して説明する。
【００１１】
図１と図２に示したフットケア装置は、研磨体１と底板３とを有し、研磨体１と底板３は、例えば接着などの適切な方法で互いに接続されている。研磨体１は、シェル形状であることが好ましく、それによりシェルによって形成される開口端は、底板３の周囲によって形成された形状に対応する形状を有する。別の変形例では、研磨体１は、固体または少なくとも部分的に固体である。
【００１２】
底板３は、図示した実施形態では平らであり、底板３と永久的に接続された３個の吸盤５を備える。当然ながら、吸盤の数はこれより多くても少なくてもよい。装置の一方の端の領域に２個の吸盤５が配置され、装置の他方の端の領域に１個の吸盤５が配置されている。吸盤５はそれぞれタブ７を備え、タブ７は、吸盤５の周辺の近くで吸盤５に接続されている。タブ７は、吸盤５を床面から外すときに使用される。タブ７を引っ張ることによって、空気が吸盤５の下で入り、吸盤５が床面から外れる。３個の吸盤５を備える利点は、必要な安定性を得たまま、研磨体１を床面から容易に外すことができることである。研磨体１を床面から外すために、研磨体１の一方の端にある２個の吸盤５をそれぞれの手で引っ張る。次に、吸盤が再び床面に付着しないように離れた研磨体１の端に一方の手をを入れたままにする。同時に、他方の手で最後の吸盤５を外す。
【００１３】
一般に、本発明による装置の形状は足と関連しており、それにより装置は、一般に、その２つの端の部分が異なる高さを有する。さらに足と関連して、装置は、かかと部分の方の高さが高く、爪先部分の方の高さが低くなっている。かかと部分は装置の後部を構成し、爪先部分は装置の前部を構成する。
【００１４】
研磨体１は、いくつかの膨らみ面で構成されており、それらの膨らみ面は凸面と凹面の両方である。好ましい実施形態によれば、研磨体１の外側面全体が研磨材であり、即ち、足の一部分が研磨体１に対して滑るときに、足の実際の部分の研磨が行われるような構造を有する。研磨面によってもたらされる研磨効果は、研磨面の構造によって異なる。一般的な視点から見ると、粗い構造ほど研磨効果が大きくなる。本発明の範囲内で、研磨体１は、研磨体１の部分によって異なる研磨構造を有することが考えられる。
【００１５】
研磨体１は、主面９を有し、主面９は、概略凹状／カップ形状で、それぞれ第１の部分面Ａと第２の部分面Ｂの２つの部分面に分割される。本発明による装置の平面図を見ると、主面９は西洋ナシの形状を有する。本発明による装置の概略的な形状により、主面９の幅の狭い方の部分（即ち、部分面Ａ）は、主面９（即ち、部分面Ｂ）の幅の広い方の部分よりも高い。
【００１６】
研磨体１が水平の床面の配置されたとき、部分面ＡとＢはそれぞれ、水平面に対して異なる角度で配置される。従って、２つの面ＡとＢは互いに角度のある関係を有する。十分な効果を得るためには、部分面Ａは、水平面に対して１５〜４５°の角度、好ましくは２５〜３５°の角度、最も最も高い効果を得るには３０°の角度であることが好ましい。この傾きを有する利点は、部分面Ａが、足の圧力を研磨面の上の前方にかけることができ、自然の動きにより最大研磨性能が得られることである。従って、足の側領域ｆ１〜ｆ５（図３を参照）にある胼胝などが除去される。提案として、部分面Ａは、１０ｃｍのくぼみ直径の凹面でよい。
【００１７】
部分面Ｂは、代わりに、水平面に対して最大１５°の角度、好ましくは最大１０°、より好ましくは最大５°の角度を有する。この部分面Ｂは、例えば１６ｃｍのくぼみ直径を有する開いたカップ形状であることが好ましい。部分面Ｂは、約１０ｃｍの直径であることが好ましい。カップ形状の部分面Ｂは、自然の回転運動によってかかとの領域ｆ３〜ｆ６に剥脱作用を与えるためのものである（図３を参照）。従って、研磨体１は、開いたカップ形状（即ち、部分面Ｂ）まで下がる傾斜面（即ち、部分面Ａ）を備える。傾斜面Ａから開いたカップ形状内に足を下げることによって、足の裏ｆ２、ｆ１９、ｆ３１、ｆ３２やｆ１、ｆ１５、ｆ３３の前側部分全体わたって、等しく改善された研磨効果が作り出される（図３を参照）。
【００１８】
研磨体１は、また、前側部分の領域に実質的に円形の円筒面１０を有し、この円筒面は、本発明による装置が水平の床面に配置されたときに、垂直方向での広がりを有する。円筒面１０は、限定されないが、円筒の周囲の一部分に沿ってのみ広がる。円筒面１０の円周方向の広がりは、２本の第１の境界線１１で示されており（図１と図２ではその一方の線だけが示されている）、第１の境界線１１は、実質的に底板３に対して垂直に延びている。
【００１９】
ユーザが、爪先の外側端を垂直な円筒面１０に押し当て、かかとのまわりで回転運動させることによって、爪先の前側ｆ２０〜３０が、やすりによって除去される（図３を参照）。また、足指の爪が付加的作用としてやすりがけされる。
【００２０】
研磨体１は、また、２つの実質的に凹状の第２の側面１２を備え、これらの側面１２は、本発明による装置の中間部分に配置される。側面１２は、下側部分が底板３につながり、上部が主面９とつながる。第２の側面１２はそれぞれ、第１の境界線１１から始まって横方向に第２の境界線１３まで広がっており、且つ実質的に底板３に対して垂直に広がっている。装置の一般的な形状により、第２の側面１２は、第１の境界線１１への接続部分よりも第２の境界線１３への接続部分の方が高い高さを有する。
【００２１】
ユーザが爪先の上で上下動すると、自然な上下運動が達成され、その結果、かかとの垂直面ｆ１６〜１８を研磨することができる。また、ユーザが垂直な研磨面１２に対する圧力を幅広く制御することによって、足の裏の厚い皮膚から通常の種類の皮膚までの領域の足の裏の前側面ｆ１５、ｆ１９を、２つの側面１２で正確に除去することができる。更に、爪先の前端ｆ２０〜ｆ３０と足指の爪をやすりがけすることができる。凹状面１２は約１６ｃｍの直径を有することが好ましい。
【００２２】
研磨体１は、また、装置の後端部分に配置された凸状の第３の側面１５を有する。第３の側面１５は、円筒状部分１５Ａを含み、それにより、この円筒状部分１５Ａは、閉じた円筒形を形成せず且つ２本の第２の境界線１３の間で広がって底板３に繋がる。円筒状部分１５Ａは、垂直面に対して多少傾斜（最大２０°）していることが好ましい。かかとを床に対して傾けて足の前部分を上下させることによって、ｆ３１〜ｆ３４を研磨することができる（図３）。
【００２３】
傾斜によって、厚い皮膚から薄い皮膚まで望みの部分の剥脱が行われる。これらの垂直面は、垂直な研磨面であり、その結果、皮膚が傷つきやすい足の裏の内側と上側部分への境界面の研磨が改善される。この場合、ユーザは、ユーザが垂直面に対する押し付け圧力を制御することができるため、剥脱をより適切に制御することができる。
【００２４】
第３の側面１５は、また、本発明による装置が水平の床面に配置されたときに凸状の第３の面１５の上側部分となるドーム型部分１５Ｂを有する。ユーザは、自然の動きによって、アーチ形の部分、足の裏の中間部分、爪先の後ろ部分ｆ３５の厚い皮を剥脱する（図３を参照）。
【００２５】
本発明による装置のすべての境界線１１と１３で、境界線１１と１３の接続面の形の間（即ち、凹面から凸面、或いはその逆へ）で移行が生じる。以上、第１と第２の側面１０、１２が実質的に垂直であり、第３の側面が垂直面に対して最大２０°に傾斜されていることを説明した。当然ながら、少なくとも１つの側面が実質的に垂直であり、１つの側面が垂直面に対して最大２０°の傾斜を有する別の配分も可能である。
【００２６】
主面９と接続面の間の移行は、主面９全体の周りに広がっている滑らかな丸い凸状部分１６によって行われる。この丸みは、直径約５ｍｍを有し、それにより滑らかで丸く少し隆起した縁Ｃが形成されることが好ましい。この縁Ｃは、爪先ｆ７〜１４の間の剥脱に適しており、爪先が縁Ｃに沿って通過したときに爪先を同時に支持する。縁Ｃの傾斜と人間工学的に爪先に適合した丸みにより、爪先は、研磨体１に対する圧力で自然に離される。縁Ｃの下側部分では、足の親指の特に要求する部分ｆ２１に付加的な優れた効果が得られる。
【００２７】
研磨体は、長手方向において対称的であることが好ましい。従って、研磨体１を回転させることなく研磨体１を右足と左足の両方に使用することができる。
【００２８】
発明の改良
以上説明した実施形態では、研磨体の外側面全体が研磨面として形成されている。しかしながら、本発明の範囲内で、研磨体の外側面の一部分だけが研磨材であってもよい。
【００２９】
前述の実施形態では、装置は、シェル形状の研磨体と研磨体に接続された底板からなる。本発明の範囲内で、更に、研磨体が、本発明による装置を支持する床面に面した平坦面を備えた中実体から作成されることが考えられる。また、研磨体がシェル形状の場合、シェル形状の研磨体を床面に対して支持する部材を備えてもよい。
【００３０】
以上説明した本発明の装置は、足と関連する形状を有する。本発明の範囲内で装置はこの形状でなくてもよい。しかしながら、本発明の基本原理は、本発明による装置が凹状と凸状両方の研磨面を有することである。
【図面の簡単な説明】
【００３１】
【図１】本発明による装置の斜め上から見た斜視図である。
【図２】図１による装置の斜め下から見た斜視図である。
【図３】手入れを必要とする様々な領域を有する足を下から見た図である。
【図１】
2008539941.tif 000003
【図２】
2008539941.tif 000004
【図３】
2008539941.tif 000005
【国際調査報告】
2008539941.tif 000006
2008539941.tif 000007
2008539941.tif 000008